(57)【要約】      （修正有）【課題】荷を吊り上げた際、全体が荷重方向の一直線上に位置して、スイベル軸等に無理な負荷がかからず、耐久性の高いスイベル式の吊具用カップリングを提供する。【解決手段】二つの連結金具をスイベル軸によって相対回転自在に連結した吊具用カップリングであって、少なくとも一方の連結金具１は、スイベル軸２で中心が回転支持される座部の両端に左右一対の軸受部を設けたコ字状の金具本体３と、左右一対の軸受部間に着脱可能に装着する吊具の取付軸４とを備え、取付軸は、両側から中央に向かって湾曲状に径が小さくなる鼓状である。他方の連結金具は、一方の連結金具と双方同一の構成として、双方に玉掛けワイヤやアイフック等を連結する他、一方の連結金具とは異なり、チェーンを連結することも可能である。【選択図】図１
0003206678.tif 000002
【実用新案登録請求の範囲】
【請求項１】
二つの連結金具をスイベル軸によって相対回転自在に連結した吊具用カップリングであって、少なくとも一方の前記連結金具は、前記スイベル軸で中心が回転支持される座部の両端に左右一対の軸受部を設けたコ字状の金具本体と、前記左右一対の軸受部間に着脱可能に装着する前記吊具の取付軸とを備え、当該取付軸は、両側から中央に向かって徐々に縮径した鼓状であることを特徴とした吊具用カップリング。
【請求項２】
前記一方の連結金具は、玉掛けワイヤ、環、またはアイフックを取り付けるものである請求項１記載の吊具用カップリング。
【請求項３】
他方の連結金具も前記一方の連結金具と双方同一の構成である請求項１または２記載の吊具用カップリング。
【請求項４】
他方の連結金具は、スイベル軸で中心が回転支持される座部の両端に左右一対の軸受部を設けたコ字状の金具本体と、前記左右一対の軸受部間に着脱可能に装着するチェーンの取付軸とを備える請求項１または２記載の吊具用カップリング。
【請求項５】
二つの連結金具とも取付軸は、端部に凹溝が周方向に形成された主軸を有して、金具本体の左右一対の軸受部間に抜脱可能に挿通され、さらに、当該主軸の前記凹溝が位置する軸受部に対して、その挿通方向と直交する方向に抜脱可能に挿通することで前記凹溝に係合して、前記主軸を抜け止めするピンを備えた請求項１から４のうち何れか一項記載の吊具用カップリング。
【請求項６】
一方の連結金具の取付軸は、前記主軸を中心軸する鼓状のパイプを備えた請求項５記載の吊具用カップリング。
【考案の詳細な説明】
【技術分野】
【０００１】
この考案は、スイベル式の吊具用カップリングに関するものである。
【背景技術】
【０００２】
従来、玉掛けワイヤやチェーン、環、アイフックといった、端部に閉鎖ループ状の連結部（アイ、ワッパ、リンクなどと称される）を有する二つの吊具を着脱可能に連結するものとして、シャックルやラッチ付きＣカン、チェーンカップリングといった吊具用カップリングがある一方、二つの吊具の間で縒りが生じないように連結する場合は、図８に示したように、一対のシャックルＳ１・Ｓ２をスイベル軸ＳＳによって相対回転自在に連結したスイベル式のシャックル（いわゆるダブルシャックル）が用いられる。
【０００３】
この他のスイベル式カップリングとして、電線の延線作業においてワイヤのより戻しに用いるスイベルや（特許文献１）、チェーンブロックに各種スリングを素早く着脱できるようにした汎用スイベルカプラーも公知である（特許文献２）。
【先行技術文献】
【特許文献】
【０００４】
【特許文献１】特公平７−７２５８０号公報
【特許文献２】登録実用新案第３０３７４９４号公報
【考案の概要】
【考案が解決しようとする課題】
【０００５】
上述したダブルシャックルを用いたスリングにより荷を吊り上げた場合、上下のスリングは常に一直線上に位置しようとするため、仮に、一方のスリングのループ状端部がピンの中心から左右何れかにずれると、他方のスリングのループ状端部はピンの反対側にずれて、図９に示したように、ダブルシャックル全体が傾いた状態になる。同図（ａ）は上側シャックルＳ１に玉掛けワイヤＷを取り付け、下側シャックルＳ２にチェーンＣを取り付けた例、同図（ｂ）は上下シャックルＳ１・Ｓ２とも玉掛けワイヤＷを取り付けた例を示しているが、何れの場合も、玉掛けワイヤＷやチェーンＣのループ状端部Ｗ１・Ｃ１がシャックルＳ１・Ｓ２の側板Ｓ１１・Ｓ２１とピンＰ１・Ｐ２との角部の対角上に位置して、垂直方向の荷重により当該角部を変形させる恐れがある。また、全体の傾きに伴って、一対のシャックルＳ１・Ｓ２を結合しているスイベル軸ＳＳも傾斜姿勢となり、当該スイベル軸ＳＳに対してせん断方向の応力成分が生じることから、スイベル軸ＳＳについても変形ないし折損する恐れがある。むしろ、例示した玉掛けワイヤＷやチェーンＣのループ状端部は断面が円形あるいは楕円形であることから、ピンＰ１・Ｐ２に対して一点荷重の状態で掛止するため、ダブルシャックルでは往々にして上述した傾きが生じやすい。
【０００６】
なお、特許文献１や２では、上述したダブルシャックルの課題は指摘されておらず、当該課題の解決手段を積極的に開示したものではない。
【０００７】
本考案は上述した課題を解決するためになされたもので、その目的とするところは、荷を吊り上げた際、全体が荷重方向の一直線上に位置して、スイベル軸等に無理な負荷がかからず、耐久性の高いスイベル式の吊具用カップリングを提供することである。
【課題を解決するための手段】
【０００８】
上述した目的を達成するために本考案では、二つの連結金具をスイベル軸によって相対回転自在に連結した吊具用カップリングであって、少なくとも一方の前記連結金具は、前記スイベル軸で中心が回転支持される座部の両端に左右一対の軸受部を設けたコ字状の金具本体と、前記左右一対の軸受部間に着脱可能に装着する前記吊具の取付軸とを備え、当該取付軸は、両側から中央に向かって徐々に縮径した鼓状とする手段を用いた。
【０００９】
上記手段によれば、二つの連結金具それぞれに任意の吊具を連結でき、スイベル軸による相対回転によって、これら吊具間のよじれが吸収される。そして、少なくとも一方の連結金具については、その取付軸を鼓状としたから、吊具を取り付けて荷重をかければ、当該吊具は自然と径が最も小さくなる取付軸の中央部に位置して、吊具とスイベル軸とが荷重方向の一直線上に並ぶことになって、常に中心バランスがとれた正姿勢となる。したがって、スイベル軸等にせん断方向の荷重等、無理な負荷がかかることがない。さらに、取付軸は、二つの連結金具とも金具本体に着脱可能であるから、連結部が予め閉鎖ループ状に加工されている玉掛けワイヤ、環、アイフック、チェーンなどの吊具を付け替えることができる。
【００１０】
連結金具に取り付ける吊具は、取付軸に挿通、掛止（引っ掛け）その他の方法によって取り付けることができるものであれば、特定のものに限定されないが、一方の連結金具では、連結部が閉鎖ループ状である玉掛けワイヤ、環、またはアイフックを取り付けるようにすれば、これらの吊具は連結部が断面円形または楕円であって、取付軸の鼓状外形とほぼ一致することになるため、上述した正姿勢を確実に実現できる。
【００１１】
さらに、他方の連結金具も前記一方の連結金具と双方同一の構成とすれば、ワイヤと環、ワイヤとフックといった組み合わせが可能となり、より確実に上述した正姿勢を実現できる。
【００１２】
これとは別に、他方の連結金具について、スイベル軸で中心が回転支持される座部の両端に左右一対の軸受部を設けたコ字状の金具本体と、前記左右一対の軸受部間に着脱可能に装着するチェーンの取付軸とを備えたものを採用すれば、チェーンと玉掛けワイヤ、チェーンと環、またはチェーンとアイフックといった組み合わせが可能となる。
【００１３】
さらに、二つの連結金具とも取付軸は、端部に凹溝が周方向に形成された主軸を有して、金具本体の左右一対の軸受部間に抜脱可能に挿通され、さらに、当該主軸の前記凹溝が位置する軸受部に対して、その挿通方向と直交する方向に抜脱可能に挿通することで前記凹溝に係合して、前記主軸を抜け止めするピンを備えたものであることが好ましい。
【００１４】
この場合、一方の連結金具の取付軸は、前記主軸を中心軸する鼓状のパイプを備えたものであることが、さらに好ましい。
【考案の効果】
【００１５】
本考案によれば、吊具の取付軸を鼓状に湾曲させているため、荷を吊った際、吊具の連結部が常に鼓状取付軸の中央に位置して、カップリング全体が荷重方向に沿った中心バランスを維持するため、スイベル軸に無理な荷重がかからず、耐久性が高いスイベル式の吊具用カップリングを提供することができる。
【図面の簡単な説明】
【００１６】
【図１】本考案の第一実施形態に係る吊具用カップリングの使用状態を示した正面図
【図２】同、分解状態の正面図
【図３】同、組立工程を示した正面図
【図４】同、最終の組立工程を示した側面図
【図５】本考案の第二実施形態に係る吊具用カップリングの使用状態を示した正面図
【図６】同、組立工程を示した正面図
【図７】同、最終の組立工程を示した側面図
【図８】従来のダブルシャックルを示した正面図
【図９】同ダブルシャックルの使用状態を示した正面図
【考案を実施するための形態】
【００１７】
以下、本考案の好ましい実施の形態を添付した図面に従って説明する。図１〜４は本考案の第一実施形態に係る吊具用カップリングを示したもので、二つの連結金具１・１をスイベル軸２によって相対回転自在に連結してなる。
【００１８】
この実施形態において二つの連結金具１・１は、双方同一の構成であって、コ字状の金具本体３にワイヤＷの取付軸４を着脱可能に装着している。金具本体３は、図２に示したように、取り付ける吊具に見合った寸法や素材からなる鋼材をコ字状に曲げ加工して、座部３ａと、その両端に左右一対の軸受部３ｂ・３ｂを形成している。座部３ａの中心には、スイベル軸２の挿通孔３ｃを形成している。また、軸受部３ｂ・３ｂには取付軸４（後述する主軸６）を挿通する取付孔３ｄを左右方向に貫設している。さらに、一方の軸受部３ｂには後述するピン７を挿通するピン孔３ｅを前後方向に貫設している。
【００１９】
スイベル軸２は、ボルト２ａとナット２ｂの組み合わせからなる。ボルト２ａは先端側のみにナット２ｂが螺合するネジを有し、頭部からネジまでは表面平滑として、金具本体３の座部３ａを３６０度正逆回転可能に支持する。なお、２ｃは平ワッシャである。
【００２０】
取付軸４は、図３に示したように、鼓状の変形パイプ５と、該パイプ５に挿通する主軸６とからなる。変形パイプ５は、両側から中央に向かって徐々に縮径した鼓状の外形を有して、中心には主軸６の挿通孔５ａを設けている。主軸６は、丸棒材の片側端部に断面半円状の凹溝６ａを周方向に設けている。
【００２１】
上記構成のカップリングを組み立てるには、まず上下の連結金具１・１をスイベル軸２で連結し（図２）、次に、鼓状変形パイプ５を軸受部３ｂ・３ｂの間に挿入したうえ、その挿通孔５ａに主軸６を一方の軸受部３ｂから他方の軸受部３ｂに向かって挿通させる（図３）。なお、取り付ける吊具が玉掛けワイヤや環、アイフックなどの閉鎖ループ状端部を有する場合は、当該端部に予め鼓状変形パイプ５を挿通しておき、上述した組み立てを行う。
【００２２】
そして、最終工程では、主軸６の抜け止めとして、図４に示したように、その挿通方向と直交する方向からピン７を軸受部３ｂのピン孔３ｅに挿通する。このピン７は、主軸６の凹溝６ａに係合するもので、当該係合によって主軸６とピン７は互いに抜け出しを規制する。
【００２３】
当該実施形態では、上下の連結金具１・１に玉掛けワイヤＷや環、アイフック等を取り付けることができ、スイベル軸による回転支持によって、取り付けた吊具のよじれを吸収することができる。そして、その取付軸４は、対向する軸受部３ｂ・３ｂ間の全範囲において鼓状の外形をなしているため、これに取り付けられた吊具は、吊り上げ作業時の荷重によって、自然と取付軸４の中央に位置する（図１参照）。したがって、全体が荷重方向に沿った一直線上に位置し、中心バランスがとれた状態を維持することから、スイベル軸２や金具本体３に無理な力がかからず、耐久性の高いカップリングとなる。
【００２４】
続いて、図５〜７は、本考案の第二実施形態に係る吊具用カップリングを示している。ここでは、上側の連結金具１は第一実施形態と同じものを採用して、共通する部分は同じ符号を付す一方、下側の連結金具１０はチェーンＣを取り付けるものとしている。
【００２５】
即ち、この実施形態における下側の連結金具１０は、金具本体１１と、該金具本体１１のコ字状部分にチェーンＣの取付軸１２を着脱可能に装着することは上側の連結金具１と同じであるが、スイベル軸１３を予め金具本体１１に一体に設けている点で第一実施形態と異なる。つまり、この実施形態における下側の連結金具１１は、図６に示したように、座部１１ａの片面に軸受部１１ｂ・１１ｂを設ける一方、座部１１ｂの反対面にはスイベル軸１３を一体に設けて、全体とすれば逆Ｙ字状をなしている。
【００２６】
そして、下側の連結金具１０において、チェーンＣの取付軸１２は鼓状の外形とせず、第一実施形態で説明した主軸６と構造が同じとしている。即ち、当該取付軸１２は、丸棒材の片側端部に断面半円状の凹溝１２ａを周方向に設けており、最終的に、図７に示したように、取付軸１２の挿通方向と直交する方向に抜け止めピン１４を差し込むことによって凹溝１２ａに係合させ、取付軸１２とピン１４を互いに抜け止めの状態とすることは第一実施形態と同じである。
【００２７】
この第二実施形態における吊具用カップリングにおいても、第一実施形態と同様、上側の連結金具１０に対して吊具（玉掛けワイヤＷ）が中心線上に取り付けられるため、全体としても荷重方向に沿って中心バランスを維持し、スイベル軸１３や金具本体３に無理な力がかからず、耐久性の高いカップリングとなる。
【符号の説明】
【００２８】
１・１０  連結金具
２・１３  スイベル軸
３・１１  金具本体
４・１２  取付軸
５  鼓状の変形パイプ
６  主軸
７・１４  ピン
【図１】
0003206678.tif 000003
【図２】
0003206678.tif 000004
【図３】
0003206678.tif 000005
【図４】
0003206678.tif 000006
【図５】
0003206678.tif 000007
【図６】
0003206678.tif 000008
【図７】
0003206678.tif 000009
【図８】
0003206678.tif 000010
【図９】
0003206678.tif 000011